(57)【要約】【課題】  日により好みに応じて芳香剤を選択することができる、アロマテラピー用の送風式芳香器において、揮散しやすい芳香剤を徐放し、長時間有効な揮散性物質担持シートを提供する。【解決手段】  含浸又は塗布後のシートの重量に対しワックス類を５％以上含浸又は塗布する。【選択図】  なし【特許請求の範囲】
【請求項１】
ワックス類が含浸又は塗布後のシートの全重量に対し５％以上含浸又は塗布された送風式芳香器用揮散性物質担持シート。
【発明の詳細な説明】
【技術分野】
【０００１】
本発明は、送風式芳香器の揮散性物質担持シートに関する。更に詳しくは揮散しやすい芳香剤を徐放する揮散性物質担持シートに関する。
【背景技術】
【０００２】
送風式芳香器は装置が安価でメンテナンスが簡便であるため、アロマテラピー用とし
広く使われている。この装置では好みのエッセンシャルオイル（以下芳香剤と略記する）
を揮散性物質担持シートに滴下して、送風により芳香剤を強制的に揮散させるようになっている。そして、芳香剤として多くの種類が用いられている。
【０００３】
しかしながら,芳香剤には揮散性が著しく速いものがあり、これらを用いた場合には短時間で、芳香剤の揮散が完了してしまうという問題があった。
【０００４】
この問題点を解決するために、芳香器の構造を改造する方法が提案されている（特許文献１）。これは送風機で起こした風を直接揮散性担持シートに当てないようにすると共に、送風機の前面に設けられた担持シート支持部を覆うように空気流出孔を有するカバーを設けて、送風機から生じた風により担持シート支持部とカバーとの間の空間に空気の滞留を起こすことにより芳香剤を徐放する方法である。しかしながら、この方法を用いても改善効果は十分ではない。
【特許文献１】特開２００１−２５２３４３号公報
【０００５】
また、揮散性物質の遅散調整剤を用いるいろいろな方法が提案されている（特許文献２〜５）。例えば、特許文献２は揮散性調整物質がワックスであるが、ワックス自身が担持体であり、これと芳香剤を前処理して成型するものである。従って、日により好みの芳香剤を選択して用いることはできない。
【特許文献２】特開２００３−５５１０４号公報
【０００６】
また、特許文献３においてはパッドに揮散調整物質を塗布又は含浸しているが、水性べース液体薬剤の初期の揮散調整用であり、これも日により好みに応じて芳香剤を選択して用いることはできない。
【特許文献３】特開２００３−１５９３１７号公報
【０００７】
更に、特許文献４は界面活性剤と芳香剤とが分子錯体を形成することに基づいた揮散速度の抑制法であるが、予め結晶化させて用いる方法であり、操作がわずらわしく、且つ日により好みに応じて芳香剤を選択して用いることはできない。
【特許文献４】特開２００１−３０２５７６号公報
【０００８】
更に、特許文献５は香料を含有した生分解性樹脂組成物であり、これも日により好みに応じて芳香剤を選択して用いることはできない。
【特許文献５】特開平１１−１０６６２９号公報
【発明の開示】
【発明が解決しようとする課題】
【０００９】
前述のように、日により好みに応じて芳香剤を選択する送風式芳香器において、揮散速度の速い芳香剤を除放する方法は知られていない。
【００１０】
本発明は上記に鑑みなされたもので、日により好みに応じて芳香剤を選択する送風式芳香器において、揮散速度の速い芳香剤を除放する揮散性物質担持シートを提供することを目的とするものである。
【課題を解決するための手段】
【００１１】
本発明者は、上記目的を達成するため鋭意検討した結果、ワックス類をシートに含浸又は塗布することにより、揮散速度の速い芳香剤を徐放することができることを見出し、本発明を完成するに至った。
即ち、本発明は、含浸又は塗布後のシートの全重量に対しワックス類を５％以上含浸又は塗布してなる、揮散速度の速い芳香剤を除放する揮散性物質担持シート、を提供するものである。
【発明の効果】
【００１２】
本発明は、日により好みに応じて芳香剤を選択する送風式芳香器において、含浸又は塗布後のシートの全重量に対しワックス類を５％以上含浸又は塗布してなる、揮散性物質担持シートを用いることにより、揮散速度の速い芳香剤を除放するという効果を奏する。
【発明を実施するための最良の形態】
【００１３】
以下、本発明を詳細に説明する。
本発明に用いられるワックス類とは石油系のパラフィンワックス及びマイクロクリスタリンワックス、あるいは植物系のカルナウバワックス、キャンデリラワックス及び木蝋、あるいは動物系のビーズワックス及び鯨ロウ、更には鉱物系のモンタンワックスや合成系のポリエチレンワックス等を言う。
【００１４】
本発明に用いられる揮散性物質担持シートとはパルプを主体として乾式法又は湿式法で作製された通気性のある厚手のシートを言う。パルプとしては木材パルプである広葉樹あるいは針葉樹のクラフトパルプ又は亜硫酸パルプ、更には非木材パルプがある。パルプ以外の繊維として合成繊維、化学繊維、あるいは天然繊維を含むことができる。また、製紙助剤を含んでも良い。ワックスを水系で含浸する場合にはシート作製時に湿潤紙力を付与しておく必要がある。湿式法で作製する場合は、通常、湿潤紙力剤を内添する。
【００１５】
本発明において、ワックス類を含浸又は塗布するには、ワックスのエマルジョンあるいは溶液を用いるか、ワックスを溶融してそのまま塗布してもよい。含浸方法としては、ディピング法、サイズプレス法、あるいはスプレー法等を用いることができる。塗布方法としては、ロールコート法、ブレードコート法、ナイフコート法、エアーナイフコート法、あるいはワイヤーバーコート法等を用いることができる。
【００１６】
本発明において、ワックスエマルジョンをシートに含浸する場合に、浸透時間が長くかかる時には浸透促進剤として少量の界面活性剤を用いればよい。
【００１７】
本発明において、含浸又は塗布するワックス類の比率は含浸又は塗布後のシートの全重量に対し５％以上が必要である。５％未満では十分な徐放効果が得られない。含浸率は高い方が徐放効果は高くなる。目標とする徐放性能を考慮して含浸率を設定すればよい。
【００１８】
以下に実施例を挙げて本発明を具体的に説明する。
実施例１及び比較例１
【００１９】
タッピ離解機でＬＢＳＰ（サルファテート）を離解し、その後、湿潤紙力剤（荒川化学工業製ＡＦ−２５５）を対パルプ０．５％添加し、坪量８５０ｇ／ｍ２の手漉きシートを作製した。このシートにパラフィンワックスエマルジョン（荒川化学工業製ＳＰＷ−１１６Ｈ）を含浸し含浸率３０％のシートを得た。送風式芳香器（アルタコーポレーション製アロマブリーズ  フレンズ）にこのパラフィンワックスエマルジョン含浸シートと未含浸シートを揮散性物質担持シートとして用い、芳香剤ユーカリプタス（ＧＡＩＡ社製精油）を約０．２ｇ滴下して、送風を開始した。芳香剤の揮散率を重量減少で追跡して表１の結果を得た。パラフィンワックスエマルジョン未含浸シートを用いた場合は芳香剤が２０分でおよそ７０％が揮散してしまったが、パラフィンワックスエマルジョン含浸シートを用いた場合は７０％が揮散するまでに３時間を要し十分な徐放効果を示した。
【００２０】
【表１】
2006333904.tif 000002
実施例２及び比較例２
【００２１】
実施例１及び比較例１においてパラフィンワックスエマルジョンの含浸率を１２％とし、芳香剤をオレンジスイート（ＧＡＩＡ社製精油）とした以外は同様に行い、表２の結果を得た。パラフィンワックスエマルジョン未含浸シートを用いた場合は芳香剤が２０分でおよそ８０％が揮散してしまったが、パラフィンワックスエマルジョン含浸シートを用いた場合は８０％が揮散するまでにおよそ２．５時間を要し、十分な徐放効果を示した。
【００２２】
【表２】
2006333904.tif 000003
実施例３及び比較例３
【００２３】
送風式芳香器（アルタコーポレーション製アロマブリーズ  エコミニ）と備え付けのシート及びこれにパラフィンワックスエマルジョンを５０％含浸したシートを用い、芳香剤レモン（ＧＡＩＡ社製精油）を約０．１５ｇ滴下して、揮散率を追跡し、表３の結果を得た。備え付けシートをそのまま用いた場合は芳香剤が２０分でおよそ６０％が揮散してしまったが、パラフィンワックスエマルジョン含浸シートを用いた場合は６０％が揮散するまでにおよそ４時間を要し、十分な徐放効果を示した。
【００２４】
【表３】
2006333904.tif 000004
実施例４及び比較例４
【００２５】
揮散性物質担持シートとして乾式パルプ不織布（王子キノクロス社製ＴＤＳハトシート）坪量１ｋｇ／ｍ２にカルナウバワックスエマルジョン（日本精鑞製EMUSTAR-0413）を含浸して含浸率４０％のシートを得た。この含浸シートと未含浸シートを揮散性物質担持シートとして用いた以外は、実施例１及び比較例１の方法を用いて揮散率を測定追跡し、表４の結果を得た。カルナウバワックスエマルジョン未含浸シートを用いた場合は芳香剤が２０分で５０％強、４０分で９０％強が揮散してしまったが、カルナウバワックスエマルジョン含浸シートを用いた場合は９０％強が揮散するまでに４時間を要し、十分な徐放効果を示した。
【００２６】
【表４】
2006333904.tif 000005
実施例５及び比較例５
【００２７】
実施例１で作製した手漉きシートにマイクロクリスタリンワックスエマルジョン（日本精鑞製EMUSTAR-042X）を含浸し含浸率３０％のシートを得た。送風式芳香器（アルタコーポレーション製アロマブリーズ  エコミニ）にこのシート及び未含浸シートを用い、芳香剤スイートオレンジ（ＧＡＩＡ社製精油）を約０．１５ｇ滴下して、揮散率を追跡し、表５の結果を得た。未含浸シート用いた場合は芳香剤が２０分で９０％弱が揮散してしまったが、マイクロクリスタリンワックスエマルジョン含浸シートを用いた場合は９０％弱が揮散するまでにおよそ６時間を要し十分な徐放効果を示した。
【００２８】
【表５】
2006333904.tif 000006
【産業上の利用可能性】
【００２９】
以上説明してきたように、本発明のワックス類を５％以上含浸又は塗布したシートは揮散しやすい芳香剤を徐放することができるので、日により好みに応じて芳香剤を選択することができる送風式芳香器を用いる際に、揮散しやすい芳香剤の揮散性物質担持シートとして用いることができる。